(57)【特許請求の範囲】
【請求項１】
細長いばね弾性的な支持エレメント（２１６）を備えた、自動車のウィンドウガラスのためのワイパブレード（１０）であって、該ワイパブレードの、ウィンドウガラスに向いた側に、ウィンドウガラスに当て付け可能な細長いゴム弾性的なワイパストリップ（２３６）が長手方向軸線に対して平行に位置しており、支持エレメントの、ウィンドウガラスとは反対側では、支持エレメントの中央区分に、駆動されるワイパアームを接続するための装置が配置されており、負荷されていないワイパブレード（１０）が、ウィンドウガラスよりも大きく湾曲しており、ワイパブレード（１０）の両端部が、支持エレメント（２１６）の領域で、それぞれ１つの閉鎖部材（２３２）によってカバーされている形式のものにおいて、
閉鎖部材（２３２）が支持エレメント（２１６）の、ウィンドウガラス（１８）とは反対側に位置する、ワイパブレード（１０）に支持された基体（２８）を有しており、該基体がフック状の付加部（３０）を備えており、該付加部が支持エレメント（２１６）を該支持エレメントの両外側の長手方向エッジ側で横切っていて、支持エレメント（２１６）の、ウィンドウガラスに向いた側に背後から係合しており、両支持エレメント端区分のそれぞれに、支持エレメントの他方の端区分に向いた面としての少なくとも１つの係止ショルダ（２３０）を有する付加部（２２８）が配置されており、係止ショルダには、閉鎖部材（２３２）に設けられた対向ショルダが対応配置されており、前記対向ショルダおよび／または両付加部（３０）の少なくとも一方が弾性的に変位可能であり、支持エレメント（２１６）が、細長いばね弾性的な２つの保持レール（２１８）を有しており、該保持レールが、ワイパストリップの両長手方向側面のそれぞれに延びる長手方向溝（２２２）内に配置されており、保持レール（２１８）の互いに離反する側の長手方向エッジがワイパストリップ（２２０）の長手方向溝（２２２）から突出しており、これらの長手方向エッジの少なくとも一方に係止ショルダ（２３０）が形成されており、閉鎖部材（２３２）が弾性プラスチックから製作されていることを特徴とする、細長いばね弾性的な支持エレメントを備えた、自動車のウィンドウガラスのためのワイパブレード。
【請求項２】
閉鎖部材の、保持レール（２１８）の係止ショルダ（２３０）に対応配置された対向ショルダが、両保持レールを有する支持エレメント（２１６）を横切るフック状の付加部（３０）に配置されている、請求項１記載のワイパブレード。
【請求項３】
細長いばね弾性的な支持エレメント（１６）を備えた、自動車のウィンドウガラスのためのワイパブレード（１０）であって、該ワイパブレードの、ウィンドウガラスに向いた側に、ウィンドウガラスに当て付け可能な細長いゴム弾性的なワイパストリップ（２０；３２０）が長手方向軸線に対して平行に位置しており、支持エレメントの、ウィンドウガラスとは反対側では、支持エレメントの中央区分に、駆動されるワイパアームを接続するための装置が配置されており、負荷されていないワイパブレード（１０）が、ウィンドウガラスよりも大きく湾曲しており、ワイパブレード（１０）の両端部が、支持エレメント（１６）の領域で、それぞれ１つの閉鎖部材（１２６；３２６）によってカバーされている形式のものにおいて、
閉鎖部材（１２６；３２６）が支持エレメント（１６）の、ウィンドウガラス（１８）とは反対側に位置する、ワイパブレード（１０）に支持された基体（２８）を有しており、該基体がフック状の付加部（３０；３３０）を備えており、該付加部が支持エレメント（１６）を該支持エレメントの両外側の長手方向エッジ側で横切っていて、支持エレメント（１６）の、ウィンドウガラスに向いた側に背後から係合しており、両支持エレメント端区分のそれぞれに、支持エレメントの他方の端区分に向いたエッジに形成された少なくとも１つの係止ショルダ（３６，１３２）を有するばね舌片（４０）または歯（１３０）が配置されており、係止ショルダには、閉鎖部材（１２６；３２６）に設けられた対向ショルダ（１３４）が対応配置されており、前記対向ショルダ（１３４）および／または両付加部（３０）の少なくとも一方が弾性的に変位可能であり、
支持エレメント（１６）が、一体的なばね帯材として形成されており、該ばね帯材の、ウィンドウガラス（１８）に向いた帯状面に、ワイパストリップ（２０；３２０）が固定されており、閉鎖部材（１２６；３２６）が弾性プラスチックから製作されていることを特徴とする、自動車のウィンドウガラスのためのワイパブレード。
【請求項４】
閉鎖部材（１２６）のフック状の付加部の、支持エレメント（１６）を横切る脚部（３２）に対向ショルダ（１３４）が形成されている、請求項３記載のワイパブレード。
【請求項５】
係止ショルダ（１３２）が、支持エレメントの長手方向エッジから突出した係止歯（１３０）に形成されている、請求項３または４記載のワイパブレード。
【請求項６】
支持エレメント（１６）の端面（１７）をカバーする、閉鎖部材（１２６）の内壁に、支持エレメント端面から突出する突起（１４２）を収容するための切欠き（１４０）が配置されている、請求項３から５までのいずれか１項記載のワイパブレード。
【請求項７】
支持エレメント（１６）の、ウィンドウガラスに向いた面に背後から係合する、支持エレメントを横切るフック状の付加部（３３０）がそれぞれ１つの膜ヒンジ（３３２）によって、閉鎖部材（３２６）の基体（２８）に結合されている、請求項３から６までのいずれか１項記載のワイパブレード。
【請求項８】
ワイパストリップ（３２０）が、その両長手方向側面に各１つの長手方向溝（３２２）を有しており、該長手方向溝内に閉鎖部材の、フック脚部に配置された互いに向き合う爪脚部が係合している、請求項７記載のワイパブレード。
【発明の詳細な説明】
【０００１】
背景技術
請求項１の上位概念に記載の形式のワイパブレードの場合、支持エレメントによって、ワイパブレードにより拭われる払拭フィールド全体にわたって、ワイパアームに起因するワイパブレード圧着力をできる限り均一にウィンドウガラスに分配することを保証しようとしている。負荷されていない状態の支持エレメント（つまりワイパブレードがウィンドウガラスに当て付けられていない時）が適宜な湾曲を有していることによって、たとえ球面状に湾曲させられた車両ウィンドウガラスの曲率半径が各ワイパブレード位置において変化するとしても、ワイパブレードの運転中に完全にウィンドウガラスに当て付けられたワイパストリップの両端部は、そのときに緊張させられた支持エレメントによってウィンドウガラスに向かって負荷される。すなわちワイパブレードの曲率は、払拭フィールドにおいて払拭されるべきウィンドウガラスで測定された最大曲率よりも僅かに大きくなければならない。従って、支持エレメントは、従来のワイパブレードにおいて実践されているような（ドイツ連邦共和国特許出願公開第１５０５３５７号明細書）、ワイパストリップに２つのばねレールが配置された大きな手間のかかる支持湾曲構造の代わりとなる。
【０００２】
本発明は、請求項１に記載の形式のワイパブレードから出発する。このような形式の公知のワイパブレード（米国特許第３７８５００２号明細書）において、その両端区分にそれぞれ１つのシールド状の閉鎖部材が配置されている。この閉鎖部材は、比較的長い舌片で、互いに重なり合う２つの板ばねから構成された支持エレメントの、ウィンドウガラスとは反対側の上面に当て付けられており、長手方向で組み付け位置を保証するために、突起で上側の板ばねの切欠き内に係合する。ワイパブレードの長手方向延在長さに対して横方向に、ワイパストリップの両端部領域がトンネル状に形成されていることにより、位置保証が行われる。これらの両端部領域は支持エレメントを、両閉鎖部材の舌片全体を含めて取り囲んでいる。このように位置固定された閉鎖部材はワイパストリップの端部を、シャープなエッジを成す支持エレメントの領域で完全にカバーする。公知のワイパブレードの構造は、ワイパストリップのためにも、支持エレメントおよび閉鎖部材のためにも高いコストのかかる製造法を必要とする。さらに、公知のワイパブレードの組み付けは手によってのみ実施可能な多数の組み付け工程を必要とする。さらに、閉鎖部材の舌片によって、支持エレメントの端部が剛性化される。このことは特に球面状に湾曲したウィンドウガラスにおいて、ワイパストリップの圧着力をウィンドウガラスに所期のとおり均一に分配することに関して不都合に作用する。
【０００３】
発明の利点
請求項１の特徴を有する本発明によるワイパブレードの場合、閉鎖部材を、支持エレメントの弾性を損なわないように短く形成することができる。ワイパストリップは全長にわたって不変の横断面を有することができるので、このワイパストリップは低廉に押し出し法で製造可能である。両閉鎖部材の組み付けも、支持エレメント、もしくは、既に前組み付けされたワイパブレード（この場合ワイパストリップが支持エレメントに保持されている）に被せて係止することにより簡単に行われる。このような係止は場合によっては、自動的に作業する組み付けステーションによって行われてよい。このように係止された閉鎖部材は、通常の場合シャープなエッジを成す、支持エレメントの端部によってワイパブレードを取り扱う者が負傷するおそれを阻止する。
【０００４】
支持エレメントが一体的なばね帯材として形成されており、該ばね帯材の、ウィンドウガラスに向いた帯状面にワイパストリップが固定されていて、ばね帯材の、ウィンドウガラスとは反対側の他方の帯状面から係止ショルダが突出していると、支持エレメントは低廉かつ廃棄物なしにばね帯鋼から製造することができる。
【０００５】
このように形成された係止ショルダの場合、閉鎖部材の基体の、支持エレメントに向いた側に、溝が配置されており、該溝に閉鎖部材の対向ショルダが形成されていると有利である。
【０００６】
支持エレメントのための規定された有利な製造方法の場合、支持エレメントの端部領域においてその長手側に突起が残されるおそれがあり、この突起が支持エレメント上への閉鎖部材のきれいな係止を困難にする。このような不都合は、閉鎖部材のフック状の付加部の、支持エレメントを横切るフック脚部に、支持エレメントの長手側から突出する突起を収容するための溝が配置されていると回避される。
【０００７】
ワイパブレードの規定された構成においては、支持エレメントが、一体的なばね帯材として形成されており、該ばね帯材の、ウィンドウガラスに向いた帯状面に、ワイパストリップが固定されており、支持エレメントの両長手側のうちの少なくとも一方に、係止ショルダが形成されていると有利である。支持エレメントの側方に配置された、縁部の開いた部分的な切欠きに係止ショルダを設けることが可能である。
【０００８】
閉鎖部材のフック状の付加部の、支持エレメントを横切るフック脚部に対向ショルダが形成されていると、対向ショルダの低廉な構成が得られる。
【０００９】
特に支持エレメントの幅がその両端部に向かって先細になっている場合、係止ショルダが、支持エレメントの長手側から突出した係止歯に形成されていると有利である。
【００１０】
支持エレメントのための、規定の場合に有利な別の製作方法においては、支持エレメントの端面側の端部には小さな突起が残されていてよい。これらの突起は、支持エレメント上への閉鎖部材の係止を妨げる。このような方法を用いる場合には、支持エレメントの端面をカバーする、閉鎖部材の内壁に、支持エレメント端面から突出する突起を収容するための切欠きが配置されていると有利であることが判っている。
【００１１】
本発明によるワイパブレードの別の構成は、支持エレメントの、ウィンドウガラスに向いた面に背後から係合する、支持エレメントを横切るフック状の付加部がそれぞれ１つの膜ヒンジによって、閉鎖部材の基体に結合されていることを特徴としている。これにより、支持エレメントに閉鎖部材を特に簡単に組み付けることができる。それというのは、このような閉鎖部材はその作業位置において支持エレメント、もしくは、ワイパストリップを既に備えた支持エレメントに載置されるだけであり、次いでフック状の付加部をただ位置固定位置内に旋回させれば済むだけだからである。
【００１２】
ワイパストリップが、その両長手側に各１つの長手方向溝を有しており、該長手方向溝内に閉鎖部材の、フック脚部に配置された互いに向き合う爪脚部が係合していると、支持エレメントとワイパストリップとの間の結合が付加的に保証される。
【００１３】
本発明によるワイパブレードの、規定された使用事例にとって目的に合った別の構成によれば、支持エレメントが、細長いばね弾性的な２つの保持レールを有しており、該保持レールが、ワイパストリップの両長手側のそれぞれに設けられた長手方向溝内に配置されており、保持レールの互いに離反する側の長手方向エッジがワイパストリップの長手方向溝から突出しており、これらの長手方向エッジの少なくとも一方に係止ショルダが形成されている。
【００１４】
このように構成されたワイパブレードの場合、閉鎖部材の、保持レールの係止ショルダに対応配置された対向ショルダが、両保持レールを有する支持エレメントを横切るフック状の付加部に配置されている。閉鎖部材の簡単な組み付けのほかに、更なる手間なしに、ワイパストリップの組み付け位置内への両保持レールの信頼性の高い位置固定が得られる。
【００１５】
閉鎖部材が弾性プラスチックから製作されていると、支持エレメントもしくはワイパブレードにおける閉鎖部材の所期の簡単な固定、ならびに、閉鎖部材の低廉な製造を特に良好に実現することができる。
【００１６】
本発明の別の有利な構成は、付属の図面に示した実施例に関する以下の説明から明らかである。
【００１７】
実施例の説明
図１および図２に示されたワイパブレード１０は自動車のウィンドウガラスのためのワイパ装置に所属する。ワイパブレード１０は、ワイパ装置に所属する、一点鎖線で示した駆動されるワイパアーム１２に固定されている。このことのためにワイパブレードは接続装置１４を有している。この接続装置でワイパブレードはワイパアーム１２の自由端部に枢着結合されている。ワイパブレード１０は、細長いばね弾性的な支持エレメント１６を有している。この支持エレメントの、自動車のウィンドウガラス１８に向いた帯状面には、細長いゴム弾性的なワイパストリップ２０が長手方向軸線に対して平行に、例えば接着により保持されている。支持エレメント１６の、フロントガラス１８とは反対側の他の帯状面には、ワイパアーム１２のための接続装置１４が装着されている。ワイパアーム１２、ひいてはワイパブレード１０も、図１において一点鎖線で示唆した、自動車のウィンドウガラス１８に向いた矢印２２の方向に負荷されている。ウィンドウガラスには、ワイパブレード１０に所属するワイパストリップ２０が当接可能である。このような運転位置において、ワイパブレード１０はワイパアーム１２によってワイパブレードの長手方向延在長さに対して横方向にウィンドウガラス１８にわたって移動され、これにより、ウィンドウガラスの表面が清浄化される。しかしながら、ワイパブレード１０は図１においては、その両端だけがウィンドウガラス１８に接触している位置で示されている。このことのために、図１から判るように、負荷されていないワイパブレードは、ウィンドウガラス１８よりも大きく湾曲している。図１にはウィンドウガラスの表面の最大の曲率が示されているので、両端部でウィンドウガラス１８に当て付けられたワイパブレード１０の曲率が、ウィンドウガラスの最大曲率よりも大きいことが明らかである。圧着力を受けて（矢印２２）、ワイパブレードのワイパリップ２４が、その全長にわたってウィンドウガラスに当て付けられる。この場合、ばね弾性的な支持エレメント１６には所定の応力が形成される。この応力は、ワイパストリップもしくはワイパリップをその全長にわたってウィンドウガラス１８に規則通りに当て付けるために働く。
【００１８】
以下に、ワイパブレード１０の特別な構成について詳しく説明する。図１および図２に示したように、ワイパブレード１０の両端部のそれぞれに閉鎖部材２６が配置されている。この閉鎖部材は、支持エレメント１６の端面側の端部エッジ１７をカバーしている。これらの閉鎖部材２６によって特に、ばね帯鋼から製造された支持エレメント１６の場合、ワイパブレード１０の末端消費者が例えばワイパブレードの交換時に不適切にこのワイパブレードを取り扱ったときに、支持エレメント１６のシャープなエッジを成す端面側の端部エッジ１７によって負傷するおそれを阻止しようとしている。
【００１９】
図３〜図５に示した閉鎖部材２６の第１の実施例のように、閉鎖部材はほぼプレート状の基体２８を有している。この基体は、支持エレメント１６の、ウィンドウガラスとは反対側で、この支持エレメントもしくはワイパブレード１０に支持されている。図５に示したように、基体２８にはフック状の付加部３０が配置されている。これらの付加部は支持エレメント１６の両長手側を脚部で横切っており、これらの脚部に続いて設けられた、互いに向き合う爪３４で支持エレメントに背後から係合している。この実施例の場合、支持エレメント１６はワイパストリップ２０よりも広幅であるので、付加部３０が支持エレメント１６の側方領域を取り囲んでいる。閉鎖部材２６を支持エレメント１６にその長手方向で位置固定するために、両支持エレメント区分のそれぞれに、これらの他方の端区分に向いた係止ショルダ３６が配置されている。この係止ショルダには、閉鎖部材２６の基体２８に設けられた対向ショルダ３８が対応配置されている。一体的なばね帯材として形成された支持エレメント１６の係止ショルダ３６は、ばね帯材から切り出された、３つの側で無支持となるように切り抜かれたばね舌片４０（図４においては切り抜かれては示されていない）の、他方の支持エレメント端部に向いたエッジに形成されている。このばね舌片４０は支持エレメントの、ワイパストリップ２０とは反対側の帯状面に向かって押し通されている。このようなばね舌片は、閉鎖部材１６の組み付け位置（図３）において、基体２８の、ばね舌片に向いた溝４２内に突入し、溝４２の、係止ショルダ３６に向いた壁は、係止ショルダ３６と協働する対向ショルダ３８を形成する。支持エレメント１６への閉鎖部材２６の組み付けは、支持エレメント１６の長手方向に閉鎖部材を支持エレメントに被せ嵌めることにより達成され得る。閉鎖部材は弾性プラスチックから製作されているので、この閉鎖部材は組み付け中一時的に弾性変位することができ、次いでこの閉鎖部材は最終的な位置に達する。さらに、ばね舌片４０を弾性的な可撓性を有するように構成して、ばねフラップが溝４２内に係止係合するまで一時的に変位できるようにすることも可能である。支持エレメント１６のための規定された製造方法の場合、支持エレメント１６の側方の端部領域１５に小さな突起４４が残されることが可能である。これらの突起の成り立ちについては後で説明する。閉鎖部材２６の規則通りの組み付けが可能になるように、閉鎖部材２６の、支持エレメント１６を横切る脚部３２内に突起４４を収容するためのくりぬき部４６が配置されている。この場合組み付けは上方から行われる。フック状の付加部３０が側方に向かって変位させられる。このために爪３４は変位傾斜部３３を有している。これらの変位傾斜部はクリップ嵌め時に付加部３０の変位を生ぜしめる。
【００２０】
本発明の図６および図７に示した第２の実施例の場合、閉鎖部材１２６は、主として上述の閉鎖部材２６に相当する。図７が示しているように、閉鎖部材１２６はやはりプレート状の基体２８を有している。この基体２８にフック状の付加部３０が配置されている。この付加部のフック脚部３２は支持エレメント１６の平面を横切っており、フック脚部３２は爪３４で、支持エレメントもしくはワイパブレードの、ウィンドウガラス１８に向いた側に背後から係合している。ワイパブレードの長手方向において組み付け位置を位置固定するために、やはり一体的なばね帯材として形成された支持エレメント１６に、両支持エレメント長手側１２８の端区分で、このために必要な係止ショルダが形成されている。係止ショルダは、支持エレメント長手側１２８から側方に突出した歯１３０に位置している。これらの歯の、支持エレメント１６の他方の端部に向いたエッジは係止ショルダ１３２を形成している。係止ショルダ１３２と協働する対向ショルダ１３４は、横方向通路１３６の、係止ショルダ１３２に向いた壁によって形成されている。これらの横方向通路はフック状の付加部３０を閉鎖部材１２６の端面側の端部１３８に対して解放するので、これらの付加部３０は僅かに変位可能である。図６がさらに示しているように、端面側の端部１３８には、支持エレメント１６の端面側の端部エッジ１７に突起１４２を収容するための切欠き１４０が設けられている。突起１４２は支持エレメント１６のための規定された製作方法で残される。この突起の形成については後でさらに触れる。
【００２１】
もちろん、図３〜図５に示した本発明の実施例の場合にも横方向通路１３６をくりぬき部４６の代わりに配置することが考えられる。さらに、図６に示したように、支持エレメント１６の両歯１３０は、端部エッジ１７に対して傾斜するように延びる先導傾斜部１３１を備えている。これらの先導傾斜部は、付加部３０の脚部３２に設けられた斜めの接続半部１３３と協働して、閉鎖部材１２６の簡単な組み付けのために働く。それというのは、支持エレメント１６の長手方向で支持エレメント１６に閉鎖部材１２６を被せ嵌めるときに、歯１３０が横方向通路１３６に達するまで、付加部が自動的に弾性変位するからである。
【００２２】
さらに、図８および図９に示した本発明の別の実施例の場合、支持エレメント２１６は細長いばね弾性的な２つの保持レール２１８によって形成されている。両保持レールはワイパブレード組み付け時に、ワイパストリップ２２０の両長手側に設けられた２つの長手方向溝２２２のうちのそれぞれ一方に位置している。両長手方向溝２２２相互間には、ワイパストリップ内にはウェブ２２４が残されている。このウェブはそれぞれの溝基底部を形成している。
【００２３】
両保持レール２１８の互いに離反する側の両長手方向エッジ２２６は、ワイパストリップ２２０の長手方向溝２２２から突出している。両保持レール２１８の各端部には、長手方向エッジ２２６から突出した付加部２２８が配置されている。これらの付加部の、支持エレメント２１６の他方の端部に向いたショルダ２３０は、相応する閉鎖部分が図８に示された組み付け位置に位置すると、これらのショルダ２３０に対応配置された、閉鎖部材２３２の対応ショルダと協働する。この実施例で使用された閉鎖部材は、上に記載した実施例の閉鎖部材１２６にほぼ相当するので、閉鎖部材２３２に関しては閉鎖部材１２６について行った説明を参照されたい。図６および図７に示した閉鎖部材１２６と異なり、図８および図９に示した閉鎖部材２３２は、その基体２８の領域のみに、ワイパストリップ２２０の所定の部分を収容するための溝状の長手方向切欠き２３４を備えている。このワイパストリップの部分は、保持レール２１８がワイパストリップの長手方向溝２２２内に配置されていることに基づき、ワイパストリップ２２０のワイパリップ２３６とは反対側に残される。閉鎖部材２３２の組み付けは、例えば図６および図７につきこの実施例中で説明したように行うことができる。閉鎖部材２３２の組み付けは、長手方向溝２２２相互間に残されたウェブ２２４を、閉鎖部材２３２の組み付け時にその長手方向延在長さに対して横方向に弾性変形できるようにすることによりさらに簡単にすることができる。付加部２２８の係止ショルダ２３０と協働する、閉鎖部材２３２の対向ショルダは、前に挙げた実施例の対向ショルダ１３４に相当する。
【００２４】
図１０に示した本発明の別の実施例は、矢印３２８が示す方向に閉鎖部材３２６を組み付けることを可能にする。このような実施例の場合、支持エレメントは図３〜図５に示す支持エレメント１６に完全に相当する。つまり、支持エレメントはやはりその端部にばね舌片４０を有している。これらのばね舌片は、支持エレメント１６から切り出され、ワイパストリップ３２０とは反対側の壁面から押し出されている。これらのばね舌片４０には係止ショルダ３６が形成されている。これらの係止ショルダ３６は対応する対向ショルダ３８と協働する。これらの対向ショルダ３８は、閉鎖部材３２６の基体２８に配置された溝４２に配置されている。図１０に示した実施例の場合、ワイパストリップ３２０は、支持エレメント１６とほぼ同じ幅を有している。ワイパストリップ３２０は互いに対向するその両長手側に長手方向溝３２２を有している。図３〜図５に示した実施例とは異なり、フック状の付加部３３０が膜ヒンジ３３２によって閉鎖部材３２６の基体２８に結合されている。さらに、フック状の付加部３３０はやはり閉鎖部材の端面側の端壁１３８（図６および図７）に対して例えば適当な横方向通路１３６によって露出されるので、付加部は両複矢印３３４が示す方向に旋回可能である。組み付けのために、閉鎖部材３２６が矢印３２８の示す方向に、支持エレメント１６の、ウィンドウガラスとは反対側の帯状面に載置されるので、支持エレメント１６のばね舌片４０は閉鎖部材３２６の溝４２に達する。係止ショルダ３６と対向ショルダ３８とが、閉鎖部材３２６の長手方向のずれを阻止する。ワイパブレードにおける閉鎖部材３２６の固定が、フック状の付加部３３０の適当な旋回３３４によって達成され保証される。これらの付加部３３０の爪３３６がこの爪に向いた壁を僅かに変形させながらこの壁に侵入させられ、この場所で固持される。この実施例においてフック状の付加部がワイパストリップ３２０の長手方向溝内に侵入しても、これらの付加部は支持エレメントの、ウィンドウガラスに向いた側に背後から係合する。
【００２５】
全ての実施例に共通するのは、閉鎖部材２６；１２６；２３２；３２６が支持エレメントの、ウィンドウガラス１８とは反対側に位置する、ワイパブレードに支持された基体２８を有しており、この基体がフック状の付加部３０；３３０を備えており、これらの付加部が支持エレメントをその両長手側で横切っており、これらの長手側が支持エレメントの、ウィンドウガラスに向いた側に背後から係合しており、両支持エレメント端区分のそれぞれに、他方の端区分に向いた少なくとも１つの係止ショルダ３６；１３２；２３０が配置されており、該係止ショルダに、閉鎖部材に設けられた対向ショルダ３８；１３４が対応配置されており、両ショルダの少なくとも一方が弾性的に変位可能であることである。閉鎖部材２６；１２６；２３２；３２６を製造するために使用されるべきプラスチックの弾性は、一方では問題のない組み付けが可能であるように、しかし他方では、閉鎖部材の信頼性良好な座りがその組み付け位置において保証されるように選択することができる。
【００２６】
図３〜図５、図６および図７、ならびに図８および図９に関連して説明した実施例の場合の利点は、爪３４のうちの少なくとも一方が、ワイパブレードの端部において支持エレメントとワイパストリップとの間に特に要求される結合を保証するために、保持舌片４８でもってワイパストリップ２０；２２０に設けられた長手方向切欠き５０内に係合することである。
【００２７】
支持エレメント１６のための可能な製造方法（図１１）によれば、この支持エレメントは、切削工具によって広幅なばね帯ストリップから切り出される。しかしながら、支持エレメント１６のさらなる加工を簡単にするために、相前後して切り出された支持エレメント１６，１６´（一点鎖線で示す）と続く支持エレメントとが結合ウェブ４００によって互いに繋がっていることによって支持エレメントを、例えばよく整理された状態で、支持エレメント表面を処理するための浴を通して案内し、次いで別の処理ステーションに供給することができる。ワイパブレードの組み付け直前に、個々の支持エレメント１６、１６´は狭幅の結合ウェブ４００を破断することにより互いに分離されるので、各支持エレメントには、図４に関して説明した突起４４が残される。
【００２８】
支持エレメント１６，１６´（図１２において一点鎖線で示す）のための別の可能な製造方法によれば、狭幅のばね帯鋼が長手方向で切削工具によって貫通案内される。この切削工具は支持エレメント１６，１６´を要件に応じて切り離す。しかしながら、これらの支持エレメントを、上に述べた理由から、狭幅の結合ウェブ４１０を介して互いにつなげることができる。このような場合にも、支持エレメント１６，１６´の引き続き行われる簡単な処理が、ワイパブレードの組み付け前に，結合ウェブ４１０を破断することによって支持エレメントが互いに分離されることにより可能になる。こうして、各支持エレメントに、図６に関して説明した小さな突起１４２が残される。これらの突起が支持エレメントの機能を損なうことはない。
【図面の簡単な説明】
【図１】  本発明によるワイパブレードの側面図である。
【図２】  図１のワイパブレードを示す平面図である。
【図３】  図２のＩＩＩ−ＩＩＩ線に沿ったワイパブレードの一方の端部の拡大縦断面図である。
【図４】  図３のＩＶ−ＩＶ線に沿った装置の断面図である。
【図５】  図３のＶ−Ｖ線に沿った装置の横断面図である。
【図６】  図７のＶＩ−ＶＩ線に沿った、９０°だけ旋回させて示す、図４の断面図を本発明の別の実施例で示す断面図である。
【図７】  図６のＶＩＩ−ＶＩＩ線に沿って示す装置の断面図である。
【図８】  図９のＶＩＩＩ−ＶＩＩＩ線に沿った、９０°だけ旋回させて示す、図４の断面図を本発明のさらに別の実施例で示す断面図である。
【図９】  図８のＩＸ−ＩＸ線に沿って示す装置の断面図である。
【図１０】  図５の断面図を本発明によるさらに別の実施例で示す図である。
【図１１】  支持エレメントのための可能な製造方法を説明するために、ワイパブレードに所属の支持エレメントを縮小して示す部分図である。
【図１２】  支持エレメントのための別の製造方法を示す、図１１と同様の部分図である。
【図１】
0004625217.tif 000002
【図２】
0004625217.tif 000003
【図３】
0004625217.tif 000004
【図４】
0004625217.tif 000005
【図５】
0004625217.tif 000006
【図６】
0004625217.tif 000007
【図７】
0004625217.tif 000008
【図８】
0004625217.tif 000009
【図９】
0004625217.tif 000010
【図１０】
0004625217.tif 000011
【図１１】
0004625217.tif 000012
【図１２】
0004625217.tif 000013